【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
被検者の脳画像を入力し、画像処理して診断結果を提示することにより診断の支援を行なう脳疾患の診断支援方法であって、
入力された被検者の脳画像について、解像度、ダイナミックレンジ及び画像方向の少なくとも１つを自動チェックすると共に、
前記画像方向のチェックを、次の仮定
（仮定１）軸の対称性は大きい順に、側方向→矢状方向→軸（上下）方向である、
（仮定２）眼球は左右対称であり、頭部前方にある、
（仮定３）頭部画像の下端まで組織が存在するが、上端には組織はない、
の下で行なうことを特徴とする脳疾患の診断支援方法。
【請求項２】
被検者の脳画像を入力し、画像処理して診断結果を提示することにより診断の支援を行なう脳疾患の診断支援方法であって、
入力された被検者の脳画像について、解像度、ダイナミックレンジ及び画像方向の少なくとも１つを自動チェックすると共に、
前記被検者の脳画像をスライス画像として入力する場合、全スライス画像の連続性を自動チェックすることを特徴とする脳疾患の診断支援方法。
【請求項３】
前記被検者の脳画像をスライス画像として入力する場合、全スライス画像の連続性を自動チェックすることを特徴とする請求項１に記載の脳疾患の診断支援方法。
【請求項４】
前記画像処理に、脳組織抽出処理と解剖学的標準化処理が含まれ、少なくとも一方の処理結果を自動チェックすることを特徴とする請求項１、２又は３に記載の脳疾患の診断支援方法。
【請求項５】
前記処理結果としての脳画像を、予め作成してある対応するリファレンス画像と比較して、前記自動チェックを行なうことを特徴とする請求項４に記載の脳疾患の診断支援方法。
【請求項６】
前記脳画像が、ＭＲＩ脳画像であることを特徴とする請求項１乃至５のいずれかに記載の脳疾患の診断支援方法。
【請求項７】
被検者のＭＲＩ脳画像を入力した後、
該ＭＲＩ脳画像から灰白質組織を抽出して灰白質脳画像を作成し、
該灰白質脳画像に解剖学的標準化を施した後、予め用意されている健常者の対応する脳画像と統計的比較を行なうことを特徴とする請求項６に記載の脳疾患の診断支援方法。
【請求項８】
被検者のＭＲＩ脳画像を入力した後、
該ＭＲＩ脳画像に、解剖学的標準化を施し、
該標準化後のＭＲＩ脳画像から灰白質組織を抽出して灰白質脳画像を作成した後、予め用意されている健常者の対応する脳画像と統計的比較を行なうことを特徴とする請求項６に記載の脳疾患の診断支援方法。
【請求項９】
被検者の脳画像を入力し、画像処理して診断結果を出力することにより診断の支援を行なう脳疾患の診断支援装置であって、
入力された被検者の脳画像について、解像度、ダイナミックレンジ及び画像方向の少なくとも１つを自動チェックする自動評価手段を備えていると共に、
前記自動評価手段が、前記画像方向のチェックを、次の仮定
（仮定１）軸の対称性は大きい順に、側方向→矢状方向→軸（上下）方向である、
（仮定２）眼球は左右対称であり、頭部前方にある、
（仮定３）頭部画像の下端まで組織が存在するが、上端には組織はない、
の下で行なう機能を有していることを特徴とする脳疾患の診断支援装置。
【請求項１０】
被検者の脳画像を入力し、画像処理して診断結果を出力することにより診断の支援を行なう脳疾患の診断支援装置であって、
入力された被検者の脳画像について、解像度、ダイナミックレンジ及び画像方向の少なくとも１つを自動チェックする自動評価手段を備えていると共に、
前記被検者の脳画像をスライス画像として入力する場合、前記自動評価手段が、全スライス画像の連続性を自動チェックする機能を有していることを特徴とする脳疾患の診断支援装置。
【請求項１１】
前記被検者の脳画像をスライス画像として入力する場合、前記自動評価手段が、全スライス画像の連続性を自動チェックする機能を有していることを特徴とする請求項９に記載の脳疾患の診断支援装置。
【請求項１２】
前記画像処理に、脳組織抽出処理と解剖学的標準化処理が含まれ、前記自動評価手段が、少なくとも一方の処理結果を自動チェックする機能を有していることを特徴とする請求項９、１０又は１１に記載の脳疾患の診断支援装置。
【請求項１３】
前記自動評価手段が、前記処理結果としての脳画像を、予め作成してある対応するリファレンス画像と比較して、前記自動チェックを行なう機能を有していることを特徴とする請求項１２に記載の脳疾患の診断支援装置。
【請求項１４】
前記脳画像が、ＭＲＩ脳画像であることを特徴とする請求項９乃至１３のいずれかに記載の脳疾患の診断支援装置。
【請求項１５】
被検者のＭＲＩ脳画像を入力した後、
該ＭＲＩ脳画像から灰白質組織を抽出して灰白質脳画像を作成し、
該灰白質脳画像に解剖学的標準化を施した後、予め用意されている健常者の対応する脳画像と統計的比較を行なうことを特徴とする請求項１４に記載の脳疾患の診断支援装置。
【請求項１６】
被検者のＭＲＩ脳画像を入力した後、
該ＭＲＩ脳画像に、解剖学的標準化を施し、
該標準化後のＭＲＩ脳画像から灰白質組織を抽出して灰白質脳画像を作成した後、予め用意されている健常者の対応する脳画像と統計的比較を行なうことを特徴とする請求項１４に記載の脳疾患の診断支援装置。
【請求項１７】
請求項１乃至８に記載の脳疾患の診断支援方法をコンピュータで実施するためのコンピュータ読取可能なプログラム。
【請求項１８】
請求項９乃至１６に記載の脳疾患の診断支援装置をコンピュータで実現するためのコンピュータ読取可能なプログラム。
【請求項１９】
請求項１７又は１８に記載のプログラムが格納された記録媒体。
【手続補正２】
【補正対象書類名】明細書
【補正対象項目名】００１２
【補正方法】変更
【補正の内容】
【００１２】
請求項１の発明は、被検者の脳画像を入力し、画像処理して診断結果を提示することにより診断の支援を行なう脳疾患の診断支援方法であって、入力された被検者の脳画像について、解像度、ダイナミックレンジ及び画像方向の少なくとも１つを自動チェックすると共に、前記画像方向のチェックを、次の仮定
（仮定１）軸の対称性は大きい順に、側方向→矢状方向→軸（上下）方向である、
（仮定２）眼球は左右対称であり、頭部前方にある、
（仮定３）頭部画像の下端まで組織が存在するが、上端には組織はない、
の下で行なうことにより、前記課題を解決したものである。
請求項２の発明は、被検者の脳画像を入力し、画像処理して診断結果を提示することにより診断の支援を行なう脳疾患の診断支援方法であって、入力された被検者の脳画像について、解像度、ダイナミックレンジ及び画像方向の少なくとも１つを自動チェックすると共に、前記被検者の脳画像をスライス画像として入力する場合、全スライス画像の連続性を自動チェックすることにより、同様に前記課題を解決したものである。
【手続補正３】
【補正対象書類名】明細書
【補正対象項目名】００１３
【補正方法】変更
【補正の内容】
【００１３】
請求項９の発明は、被検者の脳画像を入力し、画像処理して診断結果を出力することにより診断の支援を行なう脳疾患の診断支援装置であって、入力された被検者の脳画像について、解像度、ダイナミックレンジ及び画像方向の少なくとも１つを自動チェックする自動評価手段を備えていると共に、前記自動評価手段が、前記画像方向のチェックを、次の仮定
（仮定１）軸の対称性は大きい順に、側方向→矢状方向→軸（上下）方向である、
（仮定２）眼球は左右対称であり、頭部前方にある、
（仮定３）頭部画像の下端まで組織が存在するが、上端には組織はない、
の下で行なう機能を有することにより、同様に前記課題を解決したものである。
【手続補正４】
【補正対象書類名】明細書
【補正対象項目名】００１４
【補正方法】変更
【補正の内容】
【００１４】
請求項１０の発明は、被検者の脳画像を入力し、画像処理して診断結果を出力することにより診断の支援を行なう脳疾患の診断支援装置であって、入力された被検者の脳画像について、解像度、ダイナミックレンジ及び画像方向の少なくとも１つを自動チェックする自動評価手段を備えていると共に、前記被検者の脳画像をスライス画像として入力する場合、前記自動評価手段が、全スライス画像の連続性を自動チェックする機能を有することにより、同様に前記課題を解決したものである。
【手続補正５】
【補正対象書類名】明細書
【補正対象項目名】００１５
【補正方法】変更
【補正の内容】
【００１５】
請求項１、９の各発明においては、前記被検者の脳画像をスライス画像として入力する場合、全スライス画像の連続性を自動チェックするようにしてもよい。
【手続補正６】
【補正対象書類名】明細書
【補正対象項目名】００１６
【補正方法】変更
【補正の内容】
【００１６】
以上の発明においては、前記画像処理に、脳組織抽出処理と解剖学的標準化処理が含まれ、少なくとも一方の処理結果を自動チェックするようにしてもよい。